(57)【特許請求の範囲】
【請求項１】
筐体と、
前記筐体の長手方向における一方側の両側面に当該長手方向に延びて形成されると共に、当該一方側の端部に向けて開口し、前記筐体の前記長手方向の一方側がクレードル装置に装着されたときに前記クレードル装置に設けられた係合突起と係合する係合溝と、
前記筐体の長手方向における一方側の両側面に設けられ、前記筐体の前記長手方向の一方側が前記クレードル装置に装着されたときに前記クレードル装置に設けられた給電端子と当接する当接面を有する充電端子と、
を備え、
前記充電端子の前記当接面は、前記係合溝の底面より前記筐体の幅方向内側に位置することを特徴とする携帯端末装置。
【請求項２】
前記充電端子は、前記筐体の長手方向における一方側の両側面に、前記筐体の厚さ方向に前記係合溝と隣接して設けられていることを特徴とする請求項１に記載の携帯端末装置。
【請求項３】
前記筐体の一方側において、前記係合溝の底面間の前記筐体の幅方向の大きさが、当該部分よりも前記一方側の端部寄りに位置する部分の前記幅方向の大きさより大きいことを特徴とする請求項１または請求項２に記載の携帯端末装置。
【請求項４】
前記筐体は、前記クレードル装置に装着されたときに前記厚さ方向の一方側の端面が前記クレードル装置によって支持され、
前記係合溝は、前記充電端子よりも前記厚さ方向の一方側に形成されていることを特徴とする請求項２に記載の携帯端末装置。
【請求項５】
前記充電端子は、前記筐体の長手方向における一方側の両側面に、この筐体の幅方向で対向する位置に設けられていることを特徴とする請求項１から請求項４のいずれか１項に記載の携帯端末装置。
【請求項６】
前記係合溝を画成する面のうち前記筐体の長手方向における他方側の端面が、前記筐体が前記クレードル装置に装着されたときに前記係合突起と当接することを特徴とする請求項１から請求項５のいずれか１項に記載の携帯端末装置。
【請求項７】
前記筐体の一方側の端部は、その側面が外周側に向けて凸の円弧形状とされた円弧部であり、
前記係合溝は、前記円弧部に形成されていることを特徴とする請求項１から請求項６のいずれか１項に記載の携帯端末装置。
【請求項８】
筐体および当該筐体に設けられる充電端子を有する携帯端末装置と、
前記筐体の長手方向における一方側が装着されると共に、当該装着状態で前記充電端子と当接する給電端子を有するクレードル装置と、
を備え、
前記筐体の長手方向における一方側の両側面、または前記クレードル装置のいずれか一方に、前記筐体の前記クレードル装置への装着方向に延びる係合溝が形成されるとともに、いずれか他方に、この係合溝に係合する係合突起が設けられた携帯端末装置の装着構造であって、
前記充電端子は、前記筐体が前記クレードル装置に装着されたときに前記給電端子と当接する第１当接面を有し、
前記筐体の長手方向における一方側の両側面に設けられる前記係合溝または前記係合突起のいずれか一方は、いずれか他方と係合したときに当該いずれか他方と当接する第２当接面を有し、
前記係合突起の前記長手方向における他方側の端部は、前記装着方向において前記給電端子の前記クレードル装置の表面から露出する部分における前記他方側の端部よりも前記他方側に位置し、
前記充電端子の前記第１当接面は、前記第２当接面より前記筐体の幅方向内側に位置することを特徴とする携帯端末装置の装着構造。
【請求項９】
前記筐体の一方側において、
前記係合溝の底面間の前記筐体の幅方向の大きさが、当該部分よりも前記一方側の端部寄りに位置する部分の前記幅方向の大きさより大きいことを特徴とする請求項８に記載の携帯端末装置の装着構造。
【請求項１０】
前記充電端子は、前記筐体の長手方向における一方側の両側面に、この筐体の幅方向で対向する位置に設けられ、
前記給電端子は、前記クレードル装置の表面に対して弾性力により出没自在に設けられて、前記装着された筐体の前記充電端子を前記筐体の幅方向に押圧可能とされていることを特徴とする請求項８または請求項９に記載の携帯端末装置の装着構造。
【請求項１１】
前記係合溝および前記充電端子は、前記筐体の長手方向における一方側の両側面に、前記筐体の厚さ方向で互いに隣接するように設けられることを特徴とする請求項８から請求項１０のいずれか１項に記載の携帯端末装置の装着構造。
【発明の詳細な説明】
【技術分野】
【０００１】
本発明は、携帯端末装置および携帯端末装置の装着構造に関するものである。
【背景技術】
【０００２】
この種の携帯端末装置として、例えば下記特許文献１に示されるような、筐体の長手方向における一方側の両側面に、この長手方向に延びる係合溝が形成され、この筐体の一方側がクレードル装置に装着されたときに、このクレードル装置に形成された係合突起と前記係合溝とが係合するとともに、前記筐体に設けられた充電端子と前記クレードル装置に設けられた給電端子とが接続し、携帯端末装置のバッテリを充電する構成が知られている。
【０００３】
前記の係合溝と係合突起との係合によって、クレードル装置に前記筐体の一方側を装着するとき、あるいは取り外すときに、この筐体が前記装着方向あるいは取り外し方向にガイドされるようになっている。また、筐体の一方側をクレードル装置に装着した状態で、係合突起が筐体をその両側面側から支持する。
【特許文献１】特開平７−２７３８４９号公報
【発明の開示】
【発明が解決しようとする課題】
【０００４】
しかしながら、前記従来の携帯端末装置および充電接続構造では、係合溝が前記筐体の一方側の端部に形成されているので、筐体の長手方向において、筐体における係合突起の支持点と、この筐体の重心との距離とが大きくなるので、クレードル装置に装着された筐体にその幅方向の横荷重が作用したときに、この筐体が倒れてクレードル装置から外れ易いという問題がある。
このような問題を解決するために、係合溝および係合突起を延長して前記距離を小さくすることが考えられる。ところがこの場合、クレードル装置に筐体を装着等するときに、この筐体が前記装着方向等でガイドされる進退移動量が大きくなるので、その取り扱い性を低下させることになる。
【０００５】
この発明は、このような事情を考慮してなされたもので、取り扱い性を低下させることなく、筐体に対する係合突起の支持力を向上させることができる携帯端末装置および携帯端末装置の装着構造を提供することを目的とする。
【課題を解決するための手段】
【０００６】
上記課題を解決するため、本発明は、以下の手段を採用した。
本発明に係る携帯端末装置は、筐体と、前記筐体の長手方向における一方側の両側面に当該長手方向に延びて形成されると共に、当該一方側の端部に向けて開口し、前記筐体の前記長手方向の一方側がクレードル装置に装着されたときに前記クレードル装置に設けられた係合突起と係合する係合溝と、前記筐体の長手方向における一方側の両側面に設けられ、前記筐体の前記長手方向の一方側が前記クレードル装置に装着されたときに前記クレードル装置に設けられた給電端子と当接する当接面を有する充電端子と、を備え、前記充電端子の前記当接面は、前記係合溝の底面より前記筐体の幅方向内側に位置することを特徴とする。
また、前記充電端子は、前記筐体の長手方向における一方側の両側面に、前記筐体の厚さ方向に前記係合溝と隣接して設けられていることを特徴とする。
【０００７】
また、前記筐体の一方側において、前記係合溝の底面間の前記筐体の幅方向の大きさが、当該部分よりも前記一方側の端部寄りに位置する部分の前記幅方向の大きさより大きいことを特徴とする。
また、前記筐体は、前記クレードル装置に装着されたときに前記厚さ方向の一方側の端面が前記クレードル装置によって支持され、前記係合溝は、前記充電端子よりも前記厚さ方向の一方側に形成されていることを特徴とする。
【０００８】
また、前記充電端子は、前記筐体の長手方向における一方側の両側面に、この筐体の幅方向で対向する位置に設けられていることを特徴とする。
また、前記係合溝を画成する面のうち前記筐体の長手方向における他方側の端面が、前記筐体が前記クレードル装置に装着されたときに前記係合突起と当接することを特徴とする。
また、前記筐体の一方側の端部は、その側面が外周側に向けて凸の円弧形状とされた円弧部であり、前記係合溝は、前記円弧部に形成されていることを特徴とする。
【０００９】
本発明に係る携帯端末装置の装着構造は、筐体および当該筐体に設けられる充電端子を有する携帯端末装置と、前記筐体の長手方向における一方側が装着されると共に、当該装着状態で前記充電端子と当接する給電端子を有するクレードル装置と、を備え、前記筐体の長手方向における一方側の両側面、または前記クレードル装置のいずれか一方に、前記筐体の前記クレードル装置への装着方向に延びる係合溝が形成されるとともに、いずれか他方に、この係合溝に係合する係合突起が設けられた携帯端末装置の装着構造であって、前記充電端子は、前記筐体が前記クレードル装置に装着されたときに前記給電端子と当接する第１当接面を有し、前記筐体の長手方向における一方側の両側面に設けられる前記係合溝または前記係合突起のいずれか一方は、いずれか他方と係合したときに当該いずれか他方と当接する第２当接面を有し、前記係合突起の前記長手方向における他方側の端部は、前記装着方向において前記給電端子の前記クレードル装置の表面から露出する部分における前記他方側の端部よりも前記他方側に位置し、前記充電端子の前記第１当接面は、前記第２当接面より前記筐体の幅方向内側に位置することを特徴とする。
また、前記筐体の一方側において、前記係合溝の底面間の前記筐体の幅方向の大きさが、当該部分よりも前記一方側の端部寄りに位置する部分の前記幅方向の大きさより大きいことを特徴とする。
また、前記充電端子は、前記筐体の長手方向における一方側の両側面に、この筐体の幅方向で対向する位置に設けられ、前記給電端子は、前記クレードル装置の表面に対して弾性力により出没自在に設けられて、前記装着された筐体の前記充電端子を前記筐体の幅方向に押圧可能とされていることを特徴とする。
また、前記係合溝および前記充電端子は、前記筐体の長手方向における一方側の両側面に、前記筐体の厚さ方向で互いに隣接するように設けられることを特徴とする。
【発明の効果】
【００１０】
本発明の携帯端末装置および携帯端末装置の装着構造によれば、筐体の長手方向一方側における幅方向の大きさは、係合溝が設けられた部分が、この部分よりも前記一方側の端部寄りに位置する部分に対して大きくされ、係合溝はこの筐体の前記一方側の端部に向けて開口しているので、係合溝を前記一方側の端部から重心側に向けて延長しなくても、筐体における係合突起の支持点と、この筐体の重心との距離を小さくすることが可能になる。したがって、クレードル装置に筐体を装着したり、取り外すときに、この筐体が前記装着される方向、取り出される方向にガイドされる進退移動量を現行同等に維持してその取り扱い性が低下することを防ぎつつ、筐体に対する係合突起の支持力を向上させることができる。
【発明を実施するための最良の形態】
【００１１】
以下、本発明に係る携帯端末装置および携帯端末装置の装着構造の一実施形態を図１から図３を参照しながら説明する。
本実施形態の携帯端末装置の装着構造は、充電端子１４が設けられた筐体１１、１２を有する携帯端末装置１０と、この筐体１１、１２の長手方向における一方側１１ｂ、１２ｂが差し込まれる等により装着されるとともに給電端子２２が設けられた支持凹部２１を有するクレードル装置２０とを備え、筐体１１、１２の長手方向における一方側１１ｂ、１２ｂの両側面１１ｄ、１１ｄ、１２ｄ、１２ｄ、または支持凹部２１のいずれか一方に、筐体１１、１２の支持凹部２１への差し込み方向あるいは取り外し方向に延びる係合溝１７が形成されるとともに、他方に、この係合溝１７に係合する係合突起２３が設けられている。
【００１２】
図示の例では、筐体１１、１２は、第１筐体１１と、図示されないバッテリが内蔵された第２筐体１２とが、これら第１、第２筐体１１、１２の長手方向における他方側１１ａ、１２ａの端部に連結部１３を介して連結されて開閉可能とされている。また、係合溝１７は、第２筐体１２の一方側１２ｂの両側面１２ｄ、１２ｄにこの長手方向に延設される一方、係合突起２３は支持凹部２１に設けられている。
【００１３】
このように本実施形態の携帯端末装置１０はいわゆる折り畳み式の携帯電話機とされ、連結部１３は、その軸線が第１、第２筐体１１、１２の重ね合わせ面１１ｃ、１２ｃの幅方向に延びるヒンジとされ、第２筐体１２が、前記軸線を中心としてその重ね合わせ面１２ｃが第１筐体１１の重ね合わせ面１１ｃに対してその厚さ方向に接近離間するように回動自在とされている。
【００１４】
そして、本実施形態では、第２筐体１２の一方側１２ｂにおける幅方向の大きさは、係合溝１７が設けられた部分が、この部分よりも前記一方側１２ｂの端部寄りに位置する部分に対して大きくされている。具体的には、例えば第１、第２筐体１１、１２の一方側１１ｂ、１２ｂの端部は、その平面視が前記長手方向でこの一方側１１ｂ、１２ｂの端部に向けて凸の円弧形状とされた円弧部とされ、係合溝１７はこの円弧部の側面に形成されている。つまり、第２筐体１２の一方側１２ｂの端部における側部は、両側面１２ｄ、１２ｄが外周側に向けて凸の円弧形状とされた円弧部とされて、係合溝１７はこの円弧部に配設されている。さらに、本実施形態では、第２筐体１２の前記円弧部は、その側面視が、裏面１２ｅ側に凸の円弧形状とされている。つまり、第２筐体１２の一方側１２ｂにおける裏面１２ｅ側は半球形状とされている。
【００１５】
また、本実施形態では、第２筐体１２の前記円弧部の両側面１２ｄ、１２ｄにそれぞれ、前記重ね合わせ面１１ｃ、１２ｃの幅方向で対向する位置に係合溝１７が形成され、この係合溝１７は第２筐体１２の一方側１２ｂの端部に向けて開口している。
【００１６】
充電端子１４は、図３に示されるように、第２筐体１２の長手方向における一方側１２ｂの両側面１２ｄ、１２ｄに、この第２筐体１２の厚さ方向に係合溝１７と隣接して設けられている。本実施形態では、後述するように、第２筐体１２は、支持凹部２１に差し込まれたときにその裏面１２ｅ側がクレードル装置２０の後面壁２５により支持され、この構成において、係合溝１７は、厚さ方向で充電端子１４よりも前記裏面１２ｅ側に形成されている。
なお、充電端子１４は、第２筐体１２の厚さ方向で係合溝１７の前記重ね合わせ面１２ｃ側に連設されるとともに、その深さが係合溝１７と同等とされた凹溝１７ｃに設けられている。このように、係合溝１７と充電端子１４の凹溝１７ｃとを連設することにより、第２筐体１２の両側面１２ｄ、１２ｄに形成される１つの凹部にこれら１７、１７ｃを配設することができ、コンパクトにかつ見映えよく構成できる。なお、これら係合溝１７と凹溝１７ｃとを連設する構成としたが、互いに独立させて配設させるように構成してもよい。また、凹溝１７ｃに設けられる充電端子１４の表面（露出面）は、係合溝１７の底面１７ａに対して第２筐体１２の内部側（重ね合わせ面１２ｃ幅方向内側）に配置される構成となっており、充電端子１４の表面の保護を好適に行なうことができる。
【００１７】
一方、クレードル装置２０の支持凹部２１は、第２筐体１２の前記円弧部の外形形状に沿うような凹曲面状の表面形状とされている。この支持凹部２１の表面において、前記差し込まれた第２筐体１２の一方側１２ｂの両側面１２ｄ、１２ｄと対向する位置にそれぞれ、係合溝１７に係合される係合突起２３と、充電端子１４に接続される給電端子２２とが設けられている。
そして、本実施形態では、第２筐体１２を支持凹部２１に差し込むあるいは取り出す方向において係合突起２３の上端が給電端子２２の上端よりも上方に位置されている。
【００１８】
本実施形態の給電端子２２は、ばね弾性力によって支持凹部２１の表面に対して出没自在に設けられ、前記差し込まれた第２筐体１２の一方側１２ｂの両側面１２ｄ、１２ｄを、その幅方向に対向する位置で押圧状態で挟み込むようになっている。また、係合突起２３は、互いの係合突起２３が対向する方向、つまり前記差し込まれた携帯端末装置１０の幅方向、かつこの携帯端末装置１０の長手方向に延在するように、支持凹部２１の表面から突出した正面視逆三角形状とされている。
【００１９】
以上の構成において、第２筐体１２の一方側１２ｂをクレードル装置２０の支持凹部２１に差し込んだ状態で、充電端子１４と給電端子２２とが接続されるとともに、係合突起２３が、係合溝１７を画成する面のうち、第２筐体１２の重ね合わせ面１２ｃに沿って延びる背面１７ｄおよび底面１７ａと対向し、かつ第２筐体１２の厚さ方向に沿って延びる上面１７ｅに当接するようになっている。
【００２０】
さらに、支持凹部２１を画成する壁面のうち、第２筐体１２の重ね合わせ面１２ｃ側を支持する前面壁２４は、第１筐体１１を通過可能とさせる切欠き部２４ａが形成されている。本実施形態では、切欠き部２４ａは前方に向けて開口した平面視半円形状とされ、連結部１３の軸線を中心として第１筐体１１を回動する際に、前面壁２４と第１筐体１１とが干渉しないようになっている。
【００２１】
また、本実施形態では、前記切欠き部２４ａの内周面上において前面壁２４の内表面側の端部に、前記切欠き部２４ａの径方向内方に向けて突出し、かつこの内周面に沿って延在する支持板２４ｂが形成されている。そして、第２筐体１２の一方側１２ｂをクレードル装置２０の支持凹部２１に差し込んで装着すると、第２筐体１２の一方側１２ｂにおける重ね合わせ面１２ｃ側の周縁部が、支持板２４ｂに当接して前面壁２４に支持される。なお、前面壁２４の厚さは第１筐体１１の厚さと同等とされ、支持板２４ｂの厚さは前面壁２４の厚さより薄くされている。
【００２２】
図示の例では、閉じられた携帯端末装置１０が支持凹部２１に前記差し込まれた状態で、第１筐体１１の前記円弧部における先端外周面が、前記切欠き部２４ａの内周面上に位置されるとともに、この前面壁２４の外表面と、第１筐体１１の重ね合わせ面１１ｃと反対側の裏面１１ｅとが略面一となり、また、第１、第２筐体１１、１２の重ね合わせ面１１ｃ、１２ｃ同士の間に、支持板２４ｂが位置されるようになっている。
【００２３】
また、携帯端末装置１０が支持凹部２１に前記差し込まれると、第２筐体１２の一方側１２ｂにおける両側面１２ｄ、１２ｄから裏面１２ｅに亙った全体が、支持凹部２１の表面に支持されるようになっている。このうち、第２筐体１２の一方側１２ｂを裏面１２ｅ側から支持する支持凹部２１の後面壁２５によって、第２筐体１２の一方側１２ｂを支持凹部２１に差し込んだ状態でこの装置１０を開いた状態から閉じたときに、第２筐体１２の一方側１２ｂにその厚さ方向において裏面１２ｅ側に向けてスライドしようとする力が作用した場合においても、その移動を阻止できるようになっている。
【００２４】
以上説明したように、本実施形態による携帯端末装置１０および充電接続構造によれば、第２筐体１２の一方側１２ｂにおける幅方向の大きさは、係合溝１７の形成された部分が、この部分よりも前記一方側１２ｂの端部寄りに位置する部分に対して大きくされ、係合溝１７はこの第２筐体１２の一方側１２ｂの端部に向けて開口しているので、係合溝１７を前記一方側１２ｂの端部からこの筐体１２の重心側に向けて延長しなくても、第２筐体１２における係合突起２３の支持点と、この筐体１２の重心との距離を小さくすることが可能になる。
【００２５】
したがって、支持凹部２１に第２筐体１２を差し込んだり、取り外すときに、係合突起２３と係合溝１７との係合によってこの第２筐体１２が前記差し込む方向、取り出す方向でガイドされる進退移動量を現行同等に維持してその取り扱い性が低下することを防ぎつつ、第２筐体１２に対する係合突起２３の支持力を向上させることができる。さらに、係合溝１７を前記一方側１２ｂの端部からこの筐体１２の重心側に向けて延長しなくてもよいので、携帯端末装置１０の見映えが低下するのを防ぐことができる。さらにまた、係合溝１７と係合突起２３とを係合させた状態で、充電端子１４と給電端子２２とを接続させるので、これらの両端子１４、２２に作用する負荷を低減させることができる。
【００２６】
また、充電端子１４が、第２筐体１２の長手方向における一方側１２ｂの両側面１２ｄ、１２ｄに、この第２筐体１２の厚さ方向に係合溝１７と隣接して設けられているので、係合溝１７と充電端子１４とを第２筐体１２の両側面１２ｄ、１２ｄにコンパクトに配置することが可能になり、この携帯端末装置１０の見映えを向上させることができる。
【００２７】
さらに、第２筐体１２が、支持凹部２１に差し込まれたときにその裏面１２ｅ側から支持され、係合溝１７が、充電端子１４よりも前記裏面１２ｅ側に形成されると、前記差し込まれた状態で、第２筐体１２がその厚さ方向における重ね合わせ面１２ｃ側に向けて傾こうとした場合においても、係合突起２３が、係合溝１７を画成する面のうち第２筐体１２の重ね合わせ面１２ｃに沿った方向に延びる背面１７ｄに引っかかる（当接する）ことにより、この第２筐体１２の傾きを阻止ことができる。したがって、係合溝１７を画成する面等により給電端子２２が押圧されて破損するのを防ぐことが可能になる。
【００２８】
さらにまた、クレードル装置２０において、前記差し込み方向における係合突起２３の上端が給電端子２２の上端よりも上方に位置されているので、第２筐体１２を支持凹部２１に差し込む際および取り外す際の双方の場合で、充電端子１４が給電端子２２と当接しているときには、係合突起２３が係合溝１７に係合していることになる。したがって、前記各端子１４、２２が当接しているときには、携帯端末装置１０の長手方向と前記差し込む方向等とを一致させることが可能になり、これらの各端子１４、２２に偏荷重等が作用して破損するのを防止することができる。
【００２９】
また、充電端子１４が、第２筐体１２の長手方向における一方側１２ｂの両側面１２ｄ、１２ｄに、この第２筐体１２の幅方向で対向する位置に設けられる一方、給電端子２２が支持凹部２１の表面に対して弾性力により出没自在に設けられて、前記差し込まれた第２筐体１２の充電端子１４をこの第２筐体１２の幅方向に押圧可能とされているので、第２筐体１２に対する支持力をさらに向上させることができる。
【００３０】
さらに、係合溝１７を画成する面のうち第２筐体１２の厚さ方向に延びる上面１７ｅが、第２筐体１２を支持凹部２１に差し込んだときに係合突起２３の上端部と当接させられるので、前記差し込まれた第２筐体１２にその幅方向の横荷重が作用した場合においても、係合突起２３が前記上面１７ｅを介してこの第２筐体１２を支持することになるので、係合突起２３による第２筐体１２に対する支持力をさらに向上させることができる。
【００３１】
また、第２筐体１２の一方側１２ｂの端部が、その平面視が前記長手方向でこの一方側１２ｂの端部に向けて凸の円弧形状とされた円弧部とされ、係合溝１７がこの円弧部に形成されているので、前記の作用効果を容易かつ確実に奏効させることができる。
【００３２】
さらに、第２筐体１２を支持凹部２１に差し込んだときに、係合突起２３と係合溝１７とが係合されて、前記バッテリへの充電を中断することなく、第２筐体１２の一方側１２ｂをクレードル装置２０の支持凹部２１に差し込んだ状態で携帯端末装置１０を開閉することができる。
【００３３】
すなわち、第１筐体１１を連結部１３の軸線回りに回動させてこの携帯端末装置１０を開こうとしたときに、第２筐体１２の一方側１２ｂにその厚さ方向において重ね合わせ面１２ｃ側に向けた力が作用した場合においても、係合溝１７を画成する背面１７ｄが支持凹部２１の係合突起２３に引っかかることになり、第２筐体１２の一方側１２ｂがクレードル装置２０の支持凹部２１から外れるのを防ぐことができる。
【００３４】
これにより、この外れに起因して係合溝１７の背面１７ｄが給電端子２２に衝突することにより、この端子２２が破損するのを防ぐことができる。特に、クレードル装置２０では、支持凹部２１の前面壁２４から後面壁２５に向けて、給電端子２２と係合突起２３とがこの順に設けられているので、このような衝突をより一層確実に防止することができる。
【００３５】
さらに、本実施形態では、前記切欠き部２４ａの内周面上に支持板２４ｂが形成されているので、前記のように、第２筐体１２の一方側１２ｂにその厚さ方向において重ね合わせ面１２ｃ側に向けた力が作用した場合においても、第２筐体１２の一方側１２ｂにおける重ね合わせ面１２ｃが支持板２４の内面に引っかかることになる。したがって、前述した第２筐体１２のクレードル装置２０からの外れをさらに確実に防ぐことができる。
【００３６】
なお、本発明の技術的範囲は前記実施の形態に限定されるものではなく、本発明の趣旨を逸脱しない範囲において種々の変更を加えることが可能である。
例えば、前記実施形態では、携帯端末装置１０として、いわゆる折り畳み式の携帯電話機を示したが、これに代えて、連結部の軸線が第１、第２筐体の厚さ方向に延在し、第１筐体が第２筐体の重ね合わせ面１１ｃに沿った方向にスライド可能とされたスライド回転式のものを採用してもよいし、１つの筐体によって構成されてもよく、クレードル装置に装着可能に構成されているものであればよい。
【００３７】
この場合、第２筐体の一方側を支持凹部２１に差し込んだ状態で、第１筐体を前記のようにスライドしてこの携帯端末装置１０を開こうとしたときに、この第２筐体にその力が作用しても、前記実施形態の横荷重が作用したときと同様に、このスライドしようとする方向の後方側に位置する充電接続構造においては、係合溝１７の上面１７ｅが係合突起２３に引っかかり、その一方で、前記スライドしようとする方向の前方側に位置する充電接続構造においては、係合溝１７の底面１７ａが係合突起２３に引っかかることになり、第２筐体の一方側がクレードル装置２０の支持凹部２１から外れるのを防ぐことができる。
【００３８】
また、前記実施形態では、２つの筐体を有して構成される携帯電話機を示したが、これに代えて、１つ若しくは３つ以上の筐体を有する構造であってもよく、クレードル装置２０の支持凹部２１に差し込むように構成されたものであればよい。
また、前記実施形態においては、第１、第２筐体１１、１２の一方側１１ｂ、１２ｂにおける端部が前記円弧部とされた構成を示したが、これに代えて、重ね合わせ面１１ｃ、１２ｃの幅方向に延び、かつ両側面１１ｄ、１１ｄ、１２ｄ、１２ｄに直交するような、重ね合わせ面１１ｃ、１２ｃの平面視が矩形状とされた第１、第２筐体を有する携帯端末装置においても適用可能である。
さらに、前記実施形態では、携帯端末装置として携帯電話機を示したが、これに代えて、例えば携帯テレビや携帯情報端末にも適用可能である。
【００３９】
また、前記実施形態では、携帯電話機として折り畳み式またはスライド回転式の構成を示したが、開閉可能とされていない構成、つまり表示部およびキー操作部の双方が同一表面上に設けられた携帯電話機であっても適用可能である。
さらに、係合溝１７を支持凹部２１に形成する一方、係合突起２３を携帯端末装置１０側に設けるようにしてもよい。
【００４０】
また、第２筐体１２の一方側１２ｂにおける幅方向の大きさは、係合溝１７の形成された部分が、この部分よりも前記一方側１２ｂの端部寄りに位置する部分に対して大きくされた構成として、前記実施形態では、第１、第２筐体１１、１２の一方側１１ｂ、１２ｂの端部は、その平面視が前記長手方向でこの一方側１１ｂ、１２ｂの端部に向けて凸の円弧形状とされた円弧部とされた構成を示したが、これに代えて、例えば直線状または多段状の先細り形状としてもよい。
【００４１】
なお、係合溝１７が形成された部位での幅方向の大きさが、この部分よりも一方側１２ｂの端部よりに位置する部分に対して大きくされるのは、筐体の厚さ方向全体をそのようにする必要はなく、少なくとも係合溝１７が形成された部分の長手方向においてこの関係が成立する構成であればよい。
【図面の簡単な説明】
【００４２】
【図１】本発明に係る一実施形態において、（ａ）閉状態にある携帯端末装置およびクレードル装置の外観斜視図、および（ｂ）開状態にある携帯端末装置およびクレードル装置の外観斜視図である。
【図２】図１に示す第２筐体の一方側がクレードル装置の支持凹部に差し込まれた状態における一部縦断面図である。
【図３】図１および図２に示す第２筐体の一方側の側面図である。
【符号の説明】
【００４３】
１０  携帯端末装置
１１  第１筐体
１１ｂ、１２ｂ  一方側
１１ｄ、１２ｄ  側面
１１ｅ、１２ｅ  裏面
１２  第２筐体
１４  充電端子
１７  係合溝
１７ｅ  上面
２０  クレードル装置
２１  支持凹部
２２  給電端子
２３  係合突起
【図１】
0004777049.tif 000002
【図２】
0004777049.tif 000003
【図３】
0004777049.tif 000004